(57)【要約】【課題】可動部によらないで横長画像と縦長画像との投映を切換えること。【解決手段】プロジェクタ１００は、光源１と、光源１からの光を第１成分光と第２成分光とに分離して射出する偏光分離素子３と、第１成分光を変調し、変調光を偏光分離素子３へ射出する第１変調素子４と、第２成分光を変調し、変調光を偏光分離素子３へ射出する第２変調素子５と、変調光による投映画像を投映する投映光学系６と、を備え、第１変調素子４による変調光に基づいて投映光学系６で投映される第１投映像と、第２変調素子５による変調光に基づいて投映光学系６で投映される第２投映像とで投映範囲が異なる。【選択図】図２
2014153474.tif 000002
【特許請求の範囲】
【請求項１】
光源と、
前記光源からの光を第１成分光と第２成分光とに分離して射出する偏光分離素子と、
前記第１成分光を変調し、変調光を前記偏光分離素子へ射出する第１変調素子と、
前記第２成分光を変調し、変調光を前記偏光分離素子へ射出する第２変調素子と、
前記変調光による投映画像を投映する投映光学系と、を備え、
前記第１変調素子による変調光に基づいて前記投映光学系で投映される第１投映像と、前記第２変調素子による変調光に基づいて前記投映光学系で投映される第２投映像とで投映範囲が異なることを特徴とするプロジェクタ。
【請求項２】
請求項１に記載のプロジェクタにおいて、
前記第１投映像の長手方向と前記第２投映像の長手方向とが、互いに略９０度の角度をなすことを特徴とするプロジェクタ。
【請求項３】
請求項２に記載のプロジェクタにおいて、
前記第１投映像は横長の投映範囲を有し、
前記第２投映像は縦長の投映範囲を有し、
横長投映指示または縦長投映指示に応じて、前記第１変調素子および前記第２変調素子のうち一方の対応する変調素子が前記光源からの光を変調し、他方の変調素子は前記光源からの光を減光することを特徴とするプロジェクタ。
【請求項４】
請求項３に記載のプロジェクタにおいて、
前記第１変調素子および前記第２変調素子は、それぞれ反射型液晶素子によって構成されることを特徴とするプロジェクタ。
【請求項５】
請求項４に記載のプロジェクタにおいて、
前記第１変調素子および前記第２変調素子は、それぞれ前記減光時に黒画像を表示することを特徴とするプロジェクタ。
【請求項６】
請求項５に記載のプロジェクタにおいて、
前記第１変調素子および前記第２変調素子は、それぞれ電圧印加時に白、電圧非印加時に黒を表示することを特徴とするプロジェクタ。
【請求項７】
請求項２に記載のプロジェクタにおいて、
前記第１投映像は横長の投映範囲を有し、
前記第２投映像は縦長の投映範囲を有し、
横長投映指示または縦長投映指示に応じて、前記第１変調素子および前記第２変調素子のうち一方の対応する変調素子が前記光源からの光を変調し、他方の変調素子は、前記投映範囲の一部であって前記一方の変調素子による前記投映範囲と重なる領域において前記光源からの光を減光し、かつ前記一方の変調素子による前記投映範囲と重ならない領域においては所定の付帯情報を含むように変調することを特徴とするプロジェクタ。
【請求項８】
請求項１〜７のいずれか一項に記載のプロジェクタと、
被写体像を撮像して画像信号を出力する撮像素子と、
前記撮像素子からの画像信号に所定の画像処理を施す画像処理部と、
を備え、前記プロジェクタは、前記画像処理後の画像信号に基づいて前記変調を行うことを特徴とするカメラ。
【発明の詳細な説明】
【技術分野】
【０００１】
本発明は、プロジェクタおよびカメラに関する。
【背景技術】
【０００２】
横長画像の投映と、縦長画像の投映とを切換え可能なプロジェクタが知られている。（特許文献１参照）。このプロジェクタは、変調用の表示パネルが投射レンズの光軸回りに回転可能に構成され、横長画像を投映する場合はパネル位置を横長状態にし、縦長画像を投映する場合はパネル位置を横長状態から９０度回転させた縦長状態にする。
【先行技術文献】
【特許文献】
【０００３】
【特許文献１】特開平９−１０１５６６号公報
【発明の概要】
【発明が解決しようとする課題】
【０００４】
従来技術では、表示パネルを回転させる可動部を備えるので、可動部の信頼性が問題となりやすい。
【課題を解決するための手段】
【０００５】
本発明によるプロジェクタは、光源と、光源からの光を第１成分光と第２成分光とに分離して射出する偏光分離素子と、第１成分光を変調し、変調光を偏光分離素子へ射出する第１変調素子と、第２成分光を変調し、変調光を偏光分離素子へ射出する第２変調素子と、変調光による投映画像を投映する投映光学系と、を備え、第１変調素子による変調光に基づいて投映光学系で投映される第１投映像と、第２変調素子による変調光に基づいて投映光学系で投映される第２投映像とで投映範囲が異なることを特徴とする。
本発明によるカメラは、上記プロジェクタと、被写体像を撮像して画像信号を出力する撮像素子と、撮像素子からの画像信号に所定の画像処理を施す画像処理部と、を備え、プロジェクタは、画像処理後の画像信号に基づいて変調を行うことを特徴とする。
【発明の効果】
【０００６】
本発明によれば、可動部によらないで横長画像と縦長画像との投映を切換えできる。
【図面の簡単な説明】
【０００７】
【図１】本発明の一実施の形態によるプロジェクタの構成を例示するブロック図である。
【図２】プロジェクタの光学系の構成を例示する図である。
【図３】図３(a)は横長画像投映状態を示す図、図３(b)は縦長画像投映状態を示す図である。
【図４】プロジェクタとスクリーンの配置を示す斜視図である。
【図５】図５(a)は横長画像投映状態を示す図、図５(b)は縦長画像投映状態を示す図である。
【発明を実施するための形態】
【０００８】
以下、図面を参照して本発明を実施するための形態について説明する。図１は、本発明の一実施の形態によるプロジェクタ１００の構成を例示するブロック図である。図１において、プロジェクタ１００は、画像入力部１１と、操作部材１２と、縦横判定部１３と、制御部１４と、横長画像生成部１５と、縦長画像生成部１６と、横長画像用パネル４と、縦長画像用パネル５とを含む。
【０００９】
画像入力部１１は、図示しない外部機器やメモリカード等の記録媒体から投映するコンテンツ情報（画像）を入力し、制御部１４へ送出する。縦横判定部１３は、制御部１４からの指示により、画像入力部１１で入力された画像の縦横判定を行い、判定結果を制御部１４へ送信する。制御部１４は、縦横判定部１３で横長判定された場合は横長画像投映を指示し、縦横判定部１３で縦長判定された場合は縦長画像投映を指示する。なお、制御部１４は、後述する横長画像投映／縦長画像投映切換えスイッチからの操作信号に基づいて、横長画像投映または縦長画像投映を指示することも可能に構成されている。
【００１０】
縦横判定部１３による上記縦横判定は、入力画像がデジタルカメラ等で撮影された画像の場合には、画像データに付加されている撮影情報（Exif情報）を参照して行う。操作部材１２は、投映オン／オフスイッチ、投映ソース切換えスイッチ、および横長画像投映／縦長画像投映切換えスイッチなどを含み、各スイッチの操作に応じた操作信号を制御部１４へ送出する。制御部１４は、図示しない不揮発性メモリに記憶された制御プログラムに基づいて、プロジェクタ１００の各部を制御する。
【００１１】
＜横長画像投映＞
制御部１４は、縦横判定部１３で横長判定されると、横長画像生成部１５へ横長画像生成指示を送る。横長画像生成部１５は、制御部１４からの横長画像生成指示に応じて、画像入力部１１を介して入力された横長画像を横長画像用パネル４に再生表示させるために必要な表示信号を生成し、生成した表示信号を横長画像用パネル４へ送出する。横長画像用パネル４は、例えばアスペクト比が縦９：横１６の反射型液晶パネルによって構成されており、横長画像生成部１５からの表示信号に基づいて横長画像を再生表示する。
【００１２】
＜縦長画像投映＞
制御部１４は、縦横判定部１３で縦長判定されると、縦長画像生成部１６へ縦長画像生成指示を送る。縦長画像生成部１６は、制御部１４からの縦長画像生成指示に応じて、画像入力部１１を介して入力された縦長画像を縦長画像用パネル５に再生表示させるために必要な表示信号を生成し、生成した表示信号を縦長画像用パネル５へ送出する。縦長画像用パネル５は、例えばアスペクト比が縦１６：横９の反射型液晶パネルによって構成されており、縦長画像生成部１６からの表示信号に基づいて縦長画像を再生表示する。
【００１３】
本実施形態では、横長画像用パネル４および縦長画像用パネル５を備え、横長画像の投映と同時に縦長の黒画像を投映し、縦長画像の投映と同時に横長の黒画像を投映する点に特徴を有する。このため、横長画像を投映する場合の制御部１４は、横長画像生成部１５へ上記横長画像生成指示をすると同時に縦長画像生成部１６へ黒画像生成指示を送り、黒画像を縦長画像用パネル５に表示させるために必要な表示信号を生成させる。これにより、縦長画像用パネル５は、横長画像の投映時に縦長の黒画像を表示する。
【００１４】
同様に、縦長画像を投映する場合の制御部１４は、縦長画像生成部１６へ上記縦長画像生成指示をすると同時に横長画像生成部１５へ黒画像生成指示を送り、黒画像を横長画像用パネル４に表示させるために必要な表示信号を生成させる。これにより、横長画像用パネル４は、縦長画像の投映時に横長の黒画像を表示する。
【００１５】
なお、上述した縦横判定において、画像データに付加されている撮影情報を参照して縦長判定した場合はさらに、「時計回り９０度回転」または「反時計回り９０度回転」のデータを参照することにより、縦長画像投映する画像が正立するように、縦長画像用パネル５に再生表示する縦長画像の天地を決定する。
【００１６】
＜光学系の説明＞
図２は、図１のプロジェクタ１００の光学系の構成を例示する図である。図２において、プロジェクタ１００は、ＬＥＤ１と、コンデンサレンズ２と、偏光ビームスプリッタ３と、横長画像用パネル４と、縦長画像用パネル５と、投射レンズ６とを有する。
【００１７】
ＬＥＤ１は、横長画像用パネル４および縦長画像用パネル５を照明する。コンデンサレンズ２は、ＬＥＤ１からの照明光を集光する。偏光ビームスプリッタ３は、入射光束を内部に形成された偏光膜３ａによって２つの偏光に分離する。横長画像用パネル４は、横長画像を投映する場合に照明光を変調する。縦長画像用パネル５は、縦長画像を投映する場合に照明光を変調する。投射レンズ６は、変調光による像をスクリーン７へ向けて投映する。スクリーン７は、プロジェクタ１００の外部で投射レンズ６と対向する位置に配設される。
【００１８】
ＬＥＤ１の配置位置は、コンデンサレンズ２の光軸８上である。投射レンズ６は、その光軸９がコンデンサレンズ２の光軸８と垂直となるように配置される。偏光ビームスプリッタ３は、偏光膜３ａと上記光軸８との間の角度、および偏光膜３ａと上記光軸９との間の角度が、それぞれ４５度をなすように配置される。
【００１９】
横長画像用パネル４および縦長画像用パネル５は、それぞれが上述したアスペクト比の長方形状の表示部を備え、該表示部が複数の画素によって形成される反射型液晶パネルである。横長画像用パネル４は、光軸９に垂直であって、かつ、横長画像用パネル４の長手方向（画像の横方向）が光軸８と平行となるように配置される。縦長画像用パネル５は、光軸８に垂直であって、かつ、縦長画像用パネル５の短手方向（画像の横方向）が光軸９と平行となるように配置される。
【００２０】
横長画像用パネル４および縦長画像用パネル５はそれぞれ、各画素に対して電圧を印加することが可能に構成される。電圧が印加された画素は、内部の液晶の作用により入射した光の偏光を変換して反射する。例えば、電圧が印加された画素にＳ偏光が入射された場合はＰ偏光に変換されて反射され、電圧が印加された画素にＰ偏光が入射された場合はＳ偏光に変換されて反射する。電圧を印加されていない画素では偏光の変換は行われず、Ｓ偏光が入射された場合はＳ偏光のまま反射され、Ｐ偏光が入射された場合はＰ偏光のまま反射される。反射型液晶パネルは、このように偏光を利用して２次元の画像を再生表示する。なお、各画素に対する印加電圧の大きさを制御することにより、中間階調を表現する。
【００２１】
図３は、図２における偏光ビームスプリッタ３、横長画像用パネル４、および縦長画像用パネル５を記載した要部拡大図である。図３(a)は横長画像投映状態を示す図、図３(b)は縦長画像投映状態を示す図である。
【００２２】
＜横長画像投映＞
図３(a)において、ＬＥＤ１からの照明光が左方から偏光ビームスプリッタ３に入射される。照明光は、Ｐ偏光およびＳ偏光を有する。照明光（Ｐ＋Ｓ）は偏光膜３ａによって偏光分離される。すなわち、照明光のうちＳ偏光は偏光膜３ａで反射されて下方へ進行し、横長画像用パネル４に入射する。横長画像用パネル４の電圧が印加された画素では、入射したＳ偏光が偏光変換され、Ｐ偏光として反射される。Ｐ偏光の反射光（変調光）は、再び偏光ビームスプリッタ３に下方から入射され、偏光膜３ａに到達する。Ｐ偏光は偏光膜３ａを透過し、投射レンズ６を介してスクリーン７に投映される。
【００２３】
横長画像用パネル４の電圧が印加されない画素では、入射したＳ偏光が偏光変換されずにＳ偏光として反射される。Ｓ偏光の反射光は、再び偏光ビームスプリッタ３に下方から入射され、偏光膜３ａに到達する。Ｓ偏光は偏光膜３ａで反射されて左方へ進行し、照明光側に戻されて廃棄される。なお、図３(a)では、横長画像用パネル４にてＳ偏光として反射される光については図示を省略している。
【００２４】
このように、横長画像用パネル４で電圧が印加された画素はスクリーン７上に光が到達するので白表示となり、電圧が印加されない画素はスクリーン７上に光が到達しないので黒表示となる。なお、上述したように、各画素への印加電圧の大きさを制御することにより中間階調を表現する。
【００２５】
一方、照明光のうちＰ偏光は偏光膜３ａを透過して右方へ進行し、縦長画像用パネル５に入射する。上述したように、横長画像投映時は、縦長画像用パネル５は黒画像を表示する。縦長画像用パネル５は、全ての画素に対して電圧を印加しないように制御することで黒画像を表示する（ノーマリーブラックタイプ）。
【００２６】
縦長画像用パネル５は全画素に電圧が印加されていないので、入射したＰ偏光が偏光変換されずＰ偏光として反射される。Ｐ偏光の反射光は、再び偏光ビームスプリッタ３に右方から入射され、偏光膜３ａに到達する。Ｐ偏光は偏光膜３ａを透過して左方へ進行し、照明側に戻されて廃棄される。このように、図３(a)においては、横長画像投映時の縦長画像用パネル５は投映像に寄与しない。
【００２７】
＜縦長画像投映＞
図３(b)において、ＬＥＤ１からの照明光が左方から偏光ビームスプリッタ３に入射される。照明光は、Ｐ偏光およびＳ偏光を有する。照明光（Ｐ＋Ｓ）は偏光膜３ａによって偏光分離される。すなわち、照明光のうちＰ偏光は偏光膜３ａを透過して右方へ進行し、縦長画像用パネル５に入射する。縦長画像用パネル５の電圧が印加された画素では、入射したＰ偏光が偏光変換され、Ｓ偏光として反射される。Ｓ偏光の反射光（変調光）は、再び偏光ビームスプリッタ３に右方から入射され、偏光膜３ａに到達する。Ｓ偏光は偏光膜３ａで反射されて上方へ進行し、投射レンズ６を介してスクリーン７に投映される。
【００２８】
縦長画像用パネル５の電圧が印加されない画素では、入射したＰ偏光が偏光変換されずにＰ偏光として反射される。Ｐ偏光の反射光は、再び偏光ビームスプリッタ３に右方から入射され、偏光膜３ａに到達する。Ｐ偏光は偏光膜３ａを透過して左方へ進行し、照明光側に戻されて廃棄される。なお、図３(b)では、縦長画像用パネル５にてＰ偏光として反射される光については図示を省略している。
【００２９】
このように、縦長画像用パネル５で電圧が印加された画素はスクリーン７上に光が到達するので白表示となり、電圧が印加されない画素はスクリーン７上に光が到達しないので黒表示となる。なお、上述したように、各画素への印加電圧の大きさを制御することにより中間階調を表現する。
【００３０】
一方、照明光のうちＳ偏光は、偏光膜３ａを反射して下方へ進行し、横長画像用パネル４に入射する。上述したように、縦長画像投映時は、横長画像用パネル４は黒画像を表示する。横長画像用パネル４は、全ての画素に対して電圧を印加しないように制御することで黒画像を表示する（ノーマリーブラックタイプ）。
【００３１】
横長画像用パネル４は全画素に電圧が印加されていないので、入射したＳ偏光が偏光変換されずＳ偏光として反射される。Ｓ偏光の反射光は、再び偏光ビームスプリッタ３に下方から入射され、偏光膜３ａに到達する。Ｓ偏光は偏光膜３ａを反射して左方へ進行し、照明側に戻されて廃棄される。このように、図３(b)においては、縦長画像投映時の横長画像用パネル４は投映像に寄与しない。
【００３２】
図４は、上述したプロジェクタ１００とスクリーン７の配置を示す斜視図である。横長画像投映時には、スクリーン７上に横長投映像４０が投映される。また、縦長画像投映時には、スクリーン７上に縦長投映像５０が投映される。
【００３３】
図５はスクリーン７上の投映像を正面から見た図であり、横長投映像４０および縦長投映像５０の投映範囲を重ねて表した図である。図５(a)は横長画像投映状態を示す図、図５(b)は縦長画像投映状態を示す図である。図５(a)のハッチング部は、横長投映像４０を表し、図５(b)のハッチング部は、縦長投映像５０を表す。
【００３４】
上述したように、横長画像投映時は縦長画像用パネル５に黒画像を表示するので、縦長投映像５０を投映しない。このため、スクリーン７上に横長投映像４０のみが投映される。図５(a)において、横長投映像４０のうち、縦長投映像５０と重なる領域の画質低下（コントラストなどの低下）は生じないし、横長投映像４０の上下の領域５１、５２に対して、不要な光を投映しない。
【００３５】
同様に、縦長画像投映時は横長画像用パネル４に黒画像を表示するので、横長投映像４０を投映しない。このため、スクリーン７上に縦長投映像５０のみが投映される。図５(b)において、縦長投映像５０のうち、横長投映像４０と重なる領域の画質低下（コントラストなどの低下）は生じないし、縦長投映像５０の左右の領域４１、４２に対して、不要な光を投映しない。
【００３６】
以上説明した実施形態によれば、次の作用効果が得られる。
（１）プロジェクタ１００は、ＬＥＤ１と、ＬＥＤ１からの光をＳ偏光とＰ偏光とに分離して射出する偏光ビームスプリッタ３と、Ｓ偏光を変調し、変調光を偏光ビームスプリッタ３へ射出する横長画像用パネル４と、Ｐ偏光を変調し、変調光を偏光ビームスプリッタ３へ射出する縦長画像用パネル５と、変調光による投映画像を投映する投射レンズ６と、を備え、横長画像用パネル４による変調光に基づいて投射レンズ６で投映される横長投映像４０と、縦長画像用パネル５による変調光に基づいて投射レンズ６で投映される縦長投映像５０とで投映範囲が異なるようにした。これにより、従来技術のような可動部によらないで、投映像の横長と縦長とを切換えできる。可動部がないので信頼性が高くなり、可動部を動かす時間が不要なので、可動部を動かして切換える場合に比べて切換え時間が短い。
【００３７】
（２）上記（１）のプロジェクタ１００において、横長投映像４０の長手方向と縦長投映像５０の長手方向とが、互いに略９０度の角度をなすようにしたので、プロジェクタ１００の向きを変えないで、横位置撮影した画像の投映と、縦位置撮影した画像の投映とを切換えできる。
【００３８】
（３）上記（２）のプロジェクタ１００において、横長投映像４０は横長の投映範囲を有し、縦長投映像５０は縦長の投映範囲を有し、横長投映指示または縦長投映指示に応じて、横長画像用パネル４および縦長画像用パネル５のうち一方の対応する変調素子がＬＥＤ１からの光を変調し、他方の変調素子はＬＥＤ１からの光を減光するので、横長投映像４０と縦長投映像５０とで重なる領域の画質低下（コントラストなどの低下）を抑えるとともに、重ならない領域４１，４２，５１，５２へ不要な光も抑えられる。
【００３９】
（４）上記（３）のプロジェクタ１００において、横長画像用パネル４および縦長画像用パネル５は、それぞれ反射型液晶素子によって構成したので、透過型液晶素子の場合に比べて、プロジェクタ１００をコンパクトに構成できる。
【００４０】
（５）上記（４）のプロジェクタ１００において、横長画像用パネル４および縦長画像用パネル５は、それぞれ減光時に黒画像を表示するようにしたので、横長投映像４０と縦長投映像５０とで重なる領域の画質低下（コントラストなどの低下）を抑えることができる。
【００４１】
（６）上記（５）のプロジェクタ１００において、横長画像用パネル４および縦長画像用パネル５は、それぞれ電圧印加時に白、電圧非印加時に黒を表示するようにしたので、黒画像表示時の際は全画素に対する電圧印加が不要になり、電力消費が抑えられる。
【００４２】
（変形例１）
横長画像投映時において、横長投映像４０の上下の領域５１、５２に投映コンテンツの情報を投映してもよい。投映コンテンツの情報には、例えば投映している画像のファイル名、画像の撮影情報、プロジェクタ１００の状態表示、操作メニュー等の情報（以下、付帯情報とする）を投映する。同様に、縦長画像投映時において、縦長投映像５０の左右の領域４１、４２に投映コンテンツの情報（付帯情報）を投映する。
【００４３】
変形例１の制御部１４は、縦横判定部１３によって横長判定されると横長画像生成部１５へ指示を送り、画像入力部１１を介して入力された横長画像を横長画像用パネル４に再生表示させるための表示信号を生成させる。横長画像生成部１５は、生成した表示信号を横長画像用パネル４へ送出する。制御部１４はさらに、縦長画像生成部１６へ指示を送り、図５(a)における領域５１、５２に付帯情報を投映し、かつ横長投映像４０と重なる領域に黒画像を表示させるための表示信号を生成させる。縦長画像生成部１６は生成した表示信号を縦長画像用パネル５へ送出する。
【００４４】
また、変形例１の制御部１４は、縦横判定部１３によって縦長判定されると縦長画像生成部１６へ指示を送り、画像入力部１１を介して入力された縦長画像を縦長画像用パネル５に再生表示させるための表示信号を生成させる。縦長画像生成部１６は、生成した表示信号を縦長画像用パネル５へ送出する。制御部１４はさらに、横長画像生成部１５へ指示を送り、図５(b)における領域４１、４２に付帯情報を投映し、かつ縦長投映像５０と重なる領域に黒画像を表示させるための表示信号を生成させる。横長画像生成部１５は、生成した表示信号を横長画像用パネル４へ送出する。
【００４５】
変形例１によれば、横長画像投映時において横長投映像４０を損なうことなく各種付帯情報をスクリーン７上に投映できる。また、縦長画像投映時において縦長投映像５０を損なうことなく、各種付帯情報をスクリーン７上に投映できる。
【００４６】
（変形例２）
上述した説明では、ＬＥＤ１として１個の光源で構成する例を説明したが、光源の態様はこれに限定されることはない。例えば、赤、緑、青の３色のＬＥＤで構成し、各ＬＥＤからの照明光をダイクロイックフィルター等を介して合成する。そして、上記３色のＬＥＤを色順次に点灯させることにより、カラー画像を投映する。
【００４７】
（変形例３）
横長画像用パネル４および縦長画像用パネル５を構成する反射型液晶パネルとして、各画素に赤、緑、青のカラーフィルターが施されたタイプの液晶パネルを使用し、カラー画像を投映するように構成してもよい。この場合の白色光源は、ＬＥＤ、ハロゲンランプ、メタルハライドランプ、水銀ランプ、レーザー等の光源を用いてもよい。
【００４８】
（変形例４）
上述したプロジェクタ１００をカメラに搭載してもよい。カメラは、被写体像を撮像して画像信号を出力する撮像素子と、撮像素子からの画像信号に所定の画像処理を施す画像処理部と、画像処理後の画像信号をメモリカード等の記録媒体に記録する画像記録部と、上記プロジェクタ１００と、を含む。カメラは、記録媒体に記録されている画像をプロジェクタ１００から投映する場合に、記録画像が横長であれば横長画像用パネル４に横長画像を再生表示させ、記録画像が縦長であれば縦長画像用パネル５に縦長画像を再生表示させる。
【００４９】
横長画像用パネル４および縦長画像用パネル５を構成する反射型液晶パネルの代わりに、それぞれＤＭＤ（Digital Micromirror Device）を用いてもよい。ＤＭＤは、画素に対応する可動微小鏡面（マイクロミラー）を二次元に配列したものである。マイクロミラー下部に設けられる電極を駆動することにより、照明光を投射レンズ側へ反射する状態と、照明光をＤＭＤ内部の吸収体へ向けて反射する状態とを切換える。各マイクロミラーを個別に駆動することにより、表示画素ごとに照明光の反射を制御する。なお、変形例４の場合は、照明光を分離、合成する構成として、偏光ビームスプリッタに代えてハーフミラーを用いる。
【００５０】
横長画像投映時において、縦長投映像５０のうち横長投映像４０と重なる領域において、横長画像と同一画像を投映させるようにしてもよい。具体的には、縦長画像用パネル５の対応する領域に対し、横長画像用パネル４の対応する領域に再生表示させている画像と同一の画像を再生表示させる。これにより、スクリーン７上では、横長投映像４０のうち縦長投映像５０と重なる領域において明るい投映像が得られる。
【００５１】
同様に、縦長画像投映時においては、横長投映像４０のうち縦長投映像５０と重なる領域において、縦長画像と同一画像を投映させるようにしてもよい。具体的には、横長画像用パネル４の対応する領域に対し、縦長画像用パネル５の対応する領域に再生表示させている画像と同一の画像を再生表示させる。これにより、スクリーン７上では、縦長投映像５０のうち横長投映像４０と重なる領域において明るい投映像が得られる。
【００５２】
以上の説明はあくまで一例であり、上記の実施形態の構成に何ら限定されるものではない。
【符号の説明】
【００５３】
１…ＬＥＤ
２…コンデンサレンズ
３…偏光ビームスプリッタ
３ａ…偏光膜
４…横長画像用パネル
５…縦長画像用パネル
６…投射レンズ
７…スクリーン
８、９…光軸
１１…画像入力部
１２…操作部材
１３…縦横判定部
１４…制御部
１５…横長画像生成部
１６…縦長画像生成部
４０…横長投映像
５０…縦長投映像
１００…プロジェクタ
【図１】
2014153474.tif 000003
【図２】
2014153474.tif 000004
【図３】
2014153474.tif 000005
【図４】
2014153474.tif 000006
【図５】
2014153474.tif 000007